(57)【要約】【課題】始動入賞口への遊技球の入賞に期待感を持たせる時間を長くした部品点数の少ない簡単な構成の組み立ての容易なパチンコ機を提供することである。【解決手段】遊技板２の中央部に取付けられたセンター役物１０の開口枠１１の後方に図柄表示装置１２を配置する。開口枠１１の側部に形成されたワープ通路１３に進入して下端の出口１３ｃから転がり出る遊技球Ｂを開口枠１１の下側部に設けられたステージ１６上に誘導する。ステージ１６の上面を、左右両端から中央に向けて下り勾配を持って傾斜するＶ字型として上面中央部にＶ溝１７を形成し、そのＶ溝１７の前端から落下する遊技球Ｂがその下方に設けられた始動入賞口３に入賞し易くする。Ｖ溝１７を挟む一側の傾斜面１８ａと他側の傾斜面１８ｂのそれぞれにＶ溝１７の後端部に至る迷路状の溝状の転動路１９を設け、その転動路１９を遊技球Ｂが転がり移動する際に、ステージ１６を前後方向に傾動させてＶ溝１７に至るまでの時間を長引かせるようにする。【選択図】図１
2010188065.tif 000002
【特許請求の範囲】
【請求項１】
遊技板の中央部にセンター役物を取付け、そのセンター役物の中央部に設けられた開口枠の後方に図柄表示装置を配置し、前記開口枠の側部に外部から内部に通じるワープ通路を形成し、そのワープ通路に進入して下端の出口から開口枠内に転がり出る遊技球を開口枠の下側部に設けられたステージ上で転動させ、そのステージの左右方向の中央部まで移動した遊技球が落下して、その下方に設けられた始動入賞口に入賞した際に前記図柄表示装置の表示画面に図柄の変動表示を所定時間行わせるようにしたパチンコ機において、
前記ステージを前後方向に傾動自在に支持し、そのステージを前後方向に傾動させるアクチュエータを設け、前記ステージの上面を、左右両端から中央に向けて下り勾配を持って傾斜するＶ字型として上面中央部に転がり移動してきた遊技球を前端側からその下方に設けられた前記始動入賞口に向けて落下させるＶ溝を形成し、そのＶ溝を挟む一側の傾斜面と他側の傾斜面のそれぞれに、前記ステージの左右両端側からＶ溝の後端部に至る迷路状の溝状の転動路を設け、各転動路を形成する前側壁の途中に落下口を設けたことを特徴とするパチンコ機。
【発明の詳細な説明】
【技術分野】
【０００１】
この発明は、遊技球の入賞によって図柄表示装置の表示画面に図柄の変動表示を行わせる始動入賞口の上方にステージが設けられたパチンコ機に関する。
【背景技術】
【０００２】
遊技板の中央部にセンター役物を取付け、そのセンター役物に設けられた開口枠の後方に液晶表示装置等の図柄表示装置を配置し、上記センター役物の下方に設けられた始動入賞口に遊技球が入賞した際、図柄表示装置の表示画面に図柄の変動表示を所定時間行わせ、複数の特別図柄が特定の停止表示態様で停止表示された時、大当たり遊技状態として、特別可変入賞装置の入口を塞いでいた扉を予め定められた作動条件に従って開閉させるようにしたパチンコ機においては、普通、開口枠の両側に外部から内部に通じるワープ通路を設け、そのワープ通路の下端の出口から転がり出る遊技球を開口枠の下側部に設けられたステージ上で転動させてから下方に落下させるようにして、始動入賞口への遊技球の入賞率を高めるようにしている。
【０００３】
ここで、ステージが固定の配置であると、遊技球の動きが単純なものとなり、ステージ上で転動する遊技球はステージ上から直ちに落下して、始動入賞口への入賞に対する期待感を持たせる時間が短く、遊技の面白味を持たせることができない。
【０００４】
そのような不都合を解消するため、特許文献１に記載されたパチンコ機においては、ワープ通路を両側に有する開口枠の下側部にメイン可動ステージを左右方向に揺動可能に設け、そのメイン可動ステージの下段側に固定ステージを設け、さらに、その固定ステージの前方で固定ステージより少し低い位置にサブ可動ステージを揺動可能に設け、上記ワープ通路の下端出口から流れ出る遊技球をメイン可動ステージ上で転動させ、そのメイン可動ステージから固定ステージ上やサブ可動ステージ上に遊技球を落下させて転動させ、かつ、上記メイン可動ステージやサブ可動ステージの揺動により、遊技球の転動経路を種々変化させるようにして、サブ可動ステージから転がり落ちるまでの時間、すなわち、遊技者に始動入賞口への遊技球の入賞に期待感を持たせる時間を長くし、遊技に面白味を持たせるようにしている。
【先行技術文献】
【特許文献】
【０００５】
【特許文献１】特開２００５−３１８９４８号公報
【発明の概要】
【発明が解決しようとする課題】
【０００６】
ところで、上記特許文献１に記載のパチンコ機においては、メイン可動ステージ、固定ステージおよびサブ可動ステージの３つのステージを必要とし、しかも、メイン可動ステージおよびサブ可動ステージを水平方向に揺動させる揺動機構を必要とするため、部品点数が多くなって構成が複雑となり、組み立てに時間を要するという不都合がある。
【０００７】
この発明の課題は、上記と同様に、始動入賞口への遊技球の入賞に期待感を持たせる時間を長くした部品点数の少ない簡単な構成の組み立ての容易なパチンコ機を提供することである。
【課題を解決するための手段】
【０００８】
上記の課題を解決するために、この発明においては、遊技板の中央部にセンター役物を取付け、そのセンター役物の中央部に設けられた開口枠の後方に図柄表示装置を配置し、前記開口枠の側部に外部から内部に通じるワープ通路を形成し、そのワープ通路に進入して下端の出口から開口枠内に転がり出る遊技球を開口枠の下側部に設けられたステージ上で転動させ、そのステージの左右方向の中央部まで移動した遊技球が落下して、その下方に設けられた始動入賞口に入賞した際に前記図柄表示装置の表示画面に図柄の変動表示を所定時間行わせるようにしたパチンコ機において、前記ステージを前後方向に傾動自在に支持し、そのステージを前後方向に傾動させるアクチュエータを設け、前記ステージの上面を、左右両端から中央に向けて下り勾配を持って傾斜するＶ字型として上面中央部に転がり移動してきた遊技球を前端側からその下方に設けられた前記始動入賞口に向けて落下させるＶ溝を形成し、そのＶ溝を挟む一側の傾斜面と他側の傾斜面のそれぞれに、前記ステージの左右両端側からＶ溝の後端部に至る迷路状の溝状の転動路を設け、各転動路を形成する前側壁の途中に落下口を設けた構成を採用したのである。
【０００９】
上記の構成からなるパチンコ機において、ワープ通路の下端出口から転がり出る遊技球は、ステージの上面に設けられた迷路状の転動路に進入して、その転動路を転がり移動する。
【００１０】
このとき、ステージは、アクチュエータの駆動により前後方向に反復して傾動されているため、遊技球は、迷路状の転動路に沿って転がり移動しつつ、ステージの前後方向に移動することになる。
【００１１】
また、転動路に沿う遊技球の転がり移動時において、転動路を形成する前側壁の途中に形成された落下口と対向する位置まで転がり移動し、そのとき、ステージが後側から前側に向けて下り勾配をもって傾斜する方向に向けて傾動すると、上記落下口から下方に落下して、始動入賞口に入賞することはない。
【００１２】
運よくＶ溝の位置まで遊技球が転がり移動すると、そのＶ溝の前端側からその下方に設けられた始動入賞口に向けて落下する。そして、その始動入賞口に入賞すると、図柄表示装置の表示画面に図柄の変動表示が行なわれる。
【００１３】
上記のように、ステージ上に転がり移動した遊技球は、迷路状の転動路に沿って転がり移動し、その移動時にステージの前後方向への傾動により、そのステージの前後方向に移動するため、Ｖ溝に至るまでに時間がかかり、遊技者に始動入賞口への遊技球の入賞に期待感を持たせる時間は非常に長いものとなる。
【発明の効果】
【００１４】
上記のように、この発明においては、ステージ上に転がり移動した遊技球は、迷路状の転動路に沿って転がり移動し、その移動時にステージの傾動により、そのステージの前後方向に移動するため、遊技者に始動入賞口への遊技球の入賞に期待感を持たせる時間を長く取ることができる。
【００１５】
また、ステージを傾動自在に支持し、そのステージをアクチュエータによって傾動させる部品点数の少ない簡単な構成であるため、遊技板に対して容易に組付けることができる。
【図面の簡単な説明】
【００１６】
【図１】この発明に係るパチンコ機の遊技盤の一部分を示す正面図
【図２】図１のステージ部分を拡大して示す一部切欠正面図
【図３】図２の平面図
【図４】図２のIV−IV線に沿った断面図
【図５】図４の作動状態を示す断面図
【図６】ステージを示す斜視図
【発明を実施するための形態】
【００１７】
以下、この発明の実施の形態を図面に基づいて説明する。図１に示すセンター役物１０は、図４に示す遊技盤１の遊技板２の中央部に取付けられている。また、遊技板２には、図１に示すように、センター役物１０の中央真下位置に始動入賞口３と、その始動入賞口３の下方に特別可変入賞装置４が設けられている。
【００１８】
センター役物１０の中央部に設けられた開口枠１１の後方には液晶表示装置等の図柄表示装置１２が配置されている。図柄表示装置１２は、始動入賞口３に遊技球Ｂが入賞した際に、表示画面１２ａに図柄の変動表示を所定時間行なわせるようになっている。
【００１９】
そして、上記表示画面１２ａに複数の特別図柄が特定の停止表示態様で停止表示すると、大当たり遊技状態として、特別可変入賞装置４の入口を塞いでいた扉４ａが予め定められた作動条件に従って開閉するようになっている。
【００２０】
開口枠１１の両側部には、外部から内部に通じるワープ通路１３が形成されおり、そのワープ通路１３の上部の入口１３ａから内部に進入した遊技球Ｂは、落下路１３ｂを落下して、下端の出口１３ｃから転がり出るようになっている。
【００２１】
図３に示すように、開口枠１１における下辺枠１１ａの上面両端部には、ワープ通路１３の下端出口１３ｃから転がり出る遊技球Ｂを左右方向の中央部に誘導する溝状の誘導路１４が設けられている。
【００２２】
図１乃至図３に示すように、下辺枠１１ａには、左右方向の中央部に切欠部１５が形成され、その切欠部１５内にステージ１６が組込まれている。
【００２３】
図２および図６に示すように、ステージ１６の上面は、左右両端から中央に向けて下り勾配を持って傾斜するＶ字型とされて上面中央部にＶ溝１７が形成され、そのＶ溝１７の前端は始動入賞口３の真上に位置している。
【００２４】
図３および図６に示すように、Ｖ溝１７を挟む一側の傾斜面１８ａと他側の傾斜面１８ｂのそれぞれには、ステージ１６の左右両端側からＶ溝１７の後端部に至る迷路状の溝状の転動路１９が設けられ、各転動路１９の外端の開口は誘導路１４の端部開口と対向している。
【００２５】
転動路１９を形成する前側壁１９ａの途中には落下口２０が形成され、この落下口２０は始動入賞口３に対して左右方向にずれた位置に配置されている。
【００２６】
図２に示すように、ステージ１６の左右両端には支点軸２１が設けられ、その支点軸２１は切欠部１５の両側壁により回転自在に支持されている。ステージ１６は、支点軸２１を中心にして前後方向に傾動可能となり、上記支点軸２１に接続されたアクチュエータ２２によって設定角度前後方向に傾動されるようになっている。
【００２７】
ここで、アクチュエータ２２は、ステッピングモータであってもよく、あるいは、ロータリソレノイドであってもよい。
【００２８】
実施の形態で示すパチンコ機は上記の構造からなり、ワープ通路１３内に遊技球Ｂが進入し、その遊技球Ｂがワープ通路１３の下端出口１３ｃから転がり出ると、その遊技球Ｂは誘導路１４に案内されて、ステージ１６の上面に設けられた迷路状の転動路１９に進入し、その転動路１９を転がり移動する。
【００２９】
このとき、ステージ１６は、アクチュエータ２２の駆動により支点軸２１を中心にして、図４および図５に示すように前後方向に反復して傾動されているため、遊技球Ｂは、迷路状の転動路１９に沿って転がり移動しつつ、ステージ１６の前後方向に転がり移動することになる。
【００３０】
また、遊技球Ｂが転動路１９に沿って転がり移動する転動時において、転動路１９を形成する前側壁１９ａの途中に形成された落下口２０と対向する位置まで転がり移動し、そのとき、ステージ１６が後側から前側に向けて下り勾配をもつ方向に傾動すると、上記落下口２０から下方に落下する。この場合、落下口２０は始動入賞口３に対して左右方向に位置がずれているため、遊技球Ｂが始動入賞口３に入賞することはない。
【００３１】
運よくＶ溝１７の位置まで遊技球Ｂが転がり移動すると、そのＶ溝１７の前端側からその下方に設けられた始動入賞口３に向けて落下する。そして、その始動入賞口に入賞すると、図柄表示装置１２の表示画面１２ａに図柄の変動表示が行なわれる。
【００３２】
上記のように、ステージ１６上に転がり移動した遊技球Ｂは、迷路状の転動路１９に沿って転がり移動し、その移動時にステージ１６の前後方向への傾動により、そのステージ１６の前後方向に転がり移動するため、Ｖ溝１７に至るまでに時間がかかり、遊技者に始動入賞口３への遊技球の入賞に期待感を持たせる時間は非常に長いものとなる。
【００３３】
実施の形態では、ステージ１６を常に揺動させるようにしているが、図１に示すように、ワープ通路１３に、遊技球Ｂの通過を検出するセンサ２３を設け、そのセンサ２３が遊技球Ｂの通過を検出したとき、アクチュエータ２２を一定時間始動させるようにすると、無駄な電気の消費を抑制することができる。また、アクチュエータ２２の発熱を抑えることができるため、冷却対策を不要とすることができる。
【符号の説明】
【００３４】
２・・・遊技板、３・・・始動入賞口、１０・・・センター役物、１１・・・開口枠、１２・・・図柄表示装置、１２ａ・・・表示画面、１３・・・ワープ通路、１３ｃ・・・出口、１６・・・ステージ、１８ａ・・・傾斜面、１８ｂ・・・傾斜面、１９・・・転動路、１９ａ・・・前側壁、２０・・・落下口、２２・・・アクチュエータ、２３・・・センサ
【図１】
2010188065.tif 000003
【図２】
2010188065.tif 000004
【図３】
2010188065.tif 000005
【図４】
2010188065.tif 000006
【図５】
2010188065.tif 000007
【図６】
2010188065.tif 000008